(57)【要約】      （修正有）【課題】スピーカユニットとその周辺部との間に隙間を生じにくくして音放射面を傾斜させることができるスピーカ装置を提供する。【解決手段】スピーカ装置１が、スピーカユニット２と、スピーカユニット２を収容する、上方が問口した箱状部と、蓋部４２とを有する筐体と、スピーカユニット２の音放射面Ｓ１の角度及び位置を変更可能な動作機構３と、を備える。動作機構が、回転部材３２と、スピーカユニット２に設けられた第１被案内部２１１及び第２被案内部２１２のそれぞれを案内する第１案内部及び第２案内部と、回転部材３２とスピーカユニット２とを接続する接続部材３３と、を備える。さらに、第１案内部が前後方向に延びる第１経路３１１Ａを有し、第２案内部が前後方向に対して傾斜して延びる第３経路３１２Ａを有する。音放射面Ｓ１を後方側に向けて傾斜させる際に、スピーカユニット２全体を前方側に移動させる。【選択図】図７
2016158030.tif 000002
【特許請求の範囲】
【請求項１】
スピーカユニットと、
前記スピーカユニットを収容する筐体と、
前記スピーカユニットの音放射面の角度及び位置を変更可能な動作機構と、を備え、
前記動作機構は、回転部材と、前記スピーカユニットに設けられた第１被案内部及び第２被案内部のそれぞれを案内する第１案内部及び第２案内部と、前記回転部材と前記スピーカユニットとを接続する接続部材と、を備え、
前記第１案内部は、前記音放射面に平行な所定方向に延びる経路を有し、
前記第２案内部は、前記所定方向に対して傾斜して延びる経路を有し、
前記スピーカユニットにおける前記所定方向の一方側の側面は、前記音放射面から離れるにしたがって他方側に向かう傾斜を有し、
前記スピーカユニットは、前記動作機構により、前記音放射面に平行な所定方向の一方側端部が前記筐体の一面から起き上がるように一方向に回動しつつ当該音放射面に平行な方向に移動することを特徴とするスピーカ装置。
【請求項２】
前記第１被案内部と前記第１案内部とは、前記回転部材の回転軸に平行な方向に並べて配置され、
前記第２被案内部と前記第２案内部とは、前記回転軸に平行な方向に並べて配置されていることを特徴とする請求項１に記載のスピーカ装置。
【請求項３】
前記接続部材は、前記スピーカユニットに対して前記回転部材の回転軸に平行な方向に並べて配置されていることを特徴とする請求項２に記載のスピーカ装置。
【請求項４】
前記第１被案内部は、前記接続部材の一端側に設けられ、
前記回転部材は、前記接続部材の他端側に配置され、
前記第２被案内部は、前記第１被案内部と前記回転部材との中間に位置するように前記スピーカユニットに設けられていることを特徴とする請求項１〜３のいずれか１項に記載のスピーカ装置。
【請求項５】
前記スピーカユニットにおける前記所定方向の一方側の側面は、前記第１案内部又は前記第２案内部の経路に沿った傾斜を有していることを特徴とする請求項１〜４のいずれか１項に記載のスピーカ装置。
【請求項６】
前記第１案内部及び前記第２案内部の経路は、閉回路であり、
前記第１案内部及び前記第２案内部には、前記第１被案内部又は前記第２被案内部が所定の周回方向と逆方向に移動することを規制する規制部材が設けられていることを特徴とする請求項１〜５のいずれか１項に記載のスピーカ装置。
【請求項７】
前記第１案内部及び前記第２案内部の経路が溝状又は孔状に形成され、前記第１被案内部及び前記第２被案内部が前記第１案内部又は前記第２案内部に向かって凸状に形成され、
前記第１被案内部及び前記第２被案内部が、それぞれ前記第１案内部及び前記第２案内部に移動可能に挿入されていることを特徴とする請求項１〜６のいずれか１項に記載のスピーカ装置。
【発明の詳細な説明】
【技術分野】
【０００１】
本発明は、スピーカ装置に関する。
【背景技術】
【０００２】
従来、車両のダッシュボードに設けられて音放射方向が変更可能なスピーカ装置が提案されている（例えば、特許文献１参照）。特許文献１に記載された従来のスピーカ装置では、スピーカユニットを回動させて音放射方向を変更することによって、音響特性を調節するように構成されている。
【先行技術文献】
【特許文献】
【０００３】
【特許文献１】実開昭６１−１３４１８９号公報
【発明の概要】
【発明が解決しようとする課題】
【０００４】
しかしながら、特許文献１に記載されたスピーカ装置では、例えばスピーカユニットの音放射面がダッシュボードの上面に沿うように設置した場合、搭乗者側に向けて音放射面を傾けようとすると、音放射面の一部がダッシュボード内に隠れてしまい、音波が搭乗者に届きにくくなってしまう可能性がある。そこで、スピーカユニットの搭乗者側に回動軸を設け、スピーカユニットにおける搭乗者と反対側の端部をダッシュボードから起き上がる構成が考えられる。しかしながら、起き上がった端部とダッシュボードとの間に隙間が生じやすく、この隙間からダッシュボードの内部に異物が侵入してしまう可能性がある。
【０００５】
したがって、本発明の課題は、スピーカユニットとその周辺部との間に隙間を生じにくくして音放射面を傾斜させることができるスピーカ装置を提供することが一例として挙げられる。
【課題を解決するための手段】
【０００６】
前述した課題を解決し目的を達成するために、請求項１に記載の本発明のスピーカ装置は、スピーカユニットと、前記スピーカユニットを収容する筐体と、前記スピーカユニットの音放射面の角度及び位置を変更可能な動作機構と、を備え、前記動作機構は、回転部材と、前記スピーカユニットに設けられた第１被案内部及び第２被案内部のそれぞれを案内する第１案内部及び第２案内部と、前記回転部材と前記スピーカユニットとを接続する接続部材と、を備え、前記第１案内部は、前記音放射面に平行な所定方向に延びる経路を有し、前記第２案内部は、前記所定方向に対して傾斜して延びる経路を有し、前記スピーカユニットにおける前記所定方向の一方側の側面は、前記音放射面から離れるにしたがって他方側に向かう傾斜を有し、前記スピーカユニットは、前記動作機構により、前記音放射面に平行な所定方向の一方側端部が前記筐体の一面から起き上がるように一方向に回動しつつ当該音放射面に平行な方向に移動することを特徴としている。
【図面の簡単な説明】
【０００７】
【図１】本発明の実施例に係るスピーカ装置を示す斜視図である。
【図２】前記スピーカ装置を示す分解斜視図である。
【図３】前記スピーカ装置のスピーカユニット周辺を示す斜視図である。
【図４】前記スピーカ装置の動作機構の一部を示す斜視図である。
【図５】前記スピーカ装置を示す下方視図である。
【図６】前記動作機構の要部を示す側面図である。
【図７】前記動作機構の動作説明図である。
【図８】前記スピーカ装置の動作説明図である。
【発明を実施するための形態】
【０００８】
以下、本発明の実施形態を説明する。本発明の実施形態に係るスピーカ装置は、スピーカユニットと、スピーカユニットを収容する筐体と、スピーカユニットの音放射面の角度及び位置を変更可能な動作機構と、を備え、動作機構は、回転部材と、スピーカユニットに設けられた第１被案内部及び第２被案内部のそれぞれを案内する第１案内部及び第２案内部と、回転部材と前記スピーカユニットとを接続する接続部材と、を備え、第１案内部は、音放射面に平行な所定方向に延びる経路を有し、第２案内部は、所定方向に対して傾斜して延びる経路を有し、スピーカユニットにおける所定方向の一方側の側面は、音放射面から離れるにしたがって他方側に向かう傾斜を有し、スピーカユニットは、動作機構により、音放射面に平行な所定方向の一方側端部が筐体の一面から起き上がるように一方向に回動しつつ音放射面に平行な方向に移動する。
【０００９】
スピーカユニットは、音放射面が傾斜する際に、所定方向における側面がその周辺部である筐体から離れようとするが、スピーカユニット全体を所定方向に移動させることにより、この側面と筐体との間に隙間を生じにくくすることができる。
【００１０】
尚、「音放射面」とは、スピーカユニット全体として見た際に音波を放射する仮想的な面を意味し、実際に音波を放射する部材は、音放射面よりもスピーカユニット内側に設けられていてもよい。
【００１１】
第１被案内部と第１案内部とは、回転部材の回転軸に平行な方向に並べて配置され、第２被案内部と第２案内部とは、回転軸に平行な方向に並べて配置されていることが好ましい。それにより、簡単な構成でスピーカユニットを回動及び移動させることができる。また、第１被案内部及び第２被案内部が軸方向の両側に設けられるとともに、第１案内部及び第２案内部が軸方向の両側からスピーカユニットを挟むように設けられていることがより好ましい。それにより、スピーカユニットをより安定した状態で回動及び移動させることができる。
【００１２】
接続部材は、前記スピーカユニットに対して前記回転部材の回転軸に平行な方向に並べて配置されていることが好ましい。それにより、簡単な構成でスピーカユニットを回動及び移動させることができる。また、接続部材が軸方向の両側からスピーカユニットを挟むように設けられていることがより好ましい。それにより、スピーカユニットをより安定した状態で回動及び移動させることができる。
【００１３】
第１被案内部は、接続部材の一端側に設けられ、回転部材は、接続部材の他端側に配置され、第２被案内部は、第１被案内部と回転部材との中間に位置するようにスピーカユニットに設けられていることが好ましい。それにより、第１被案内部が接続部材の一端側に設けられていることで、接続部材によってスピーカユニットに伝達される力の方向に第１被案内部を移動させやすくことができ、この方向に応じて第１案内部の経路を容易に設定することができる。また、スピーカ装置の大型化を抑制しつつ接続部材を長くすることができる。回転部材が回転する際、接続部材は回転部材側において受ける力の方向が変化するものの、接続部材が長く形成されることで、スピーカユニットが接続部材から受ける力の方向の変化を小さくすることができる。従って、第１案内部の経路を容易に設定することができる。
【００１４】
スピーカユニットにおける所定方向の一方側の側面は、第１案内部又は第２案内部の経路に沿った傾斜を有していることが好ましい。それにより、スピーカユニットの一方側の側面と筐体とが干渉したりこれらの間に隙間が生じたりすることを抑制することができる。
【００１５】
第１案内部及び第２案内部の経路は、閉回路であり、第１案内部及び第２案内部には、第１被案内部又は第２被案内部が所定の周回方向と逆方向に移動することを規制する規制部材が設けられていることが好ましい。それにより、第１案内部及び第２案内部が閉回路であることで、回転部材を一方向に回転させることでスピーカユニットを音放射位置から初期位置に戻すことができ、回転方向を変える必要がなく制御を簡単化することができる。さらに、第１案内部及び第２案内部に規制部材が設けられていることで、第１被案内部及び第２被案内部の周回方向が逆転してしまうことを抑制することができる。このとき、第１案内部及び第２案内部の経路のうち、角部等の曲率半径が小さい部分や、接続部材によってスピーカユニットに伝達される力の方向と略直交するように延びる部分、スピーカユニットが移動や回動を一旦停止する際に第１被案内部又は第２被案内部が位置する部分等、第１被案内部又は第２被案内部が逆方向に移動しやすい部分に規制部材が設けられていることがより好ましい。
【００１６】
第１案内部及び第２案内部が溝状又は孔状に形成され、第１被案内部及び第２被案内部が第１案内部又は第２案内部に向かって凸状に形成され、第１被案内部及び第２被案内部が、それぞれ第１案内部及び第２案内部に移動可能に挿入されていることが好ましい。それにより、各被案内部を各案内部に案内させやすくすることができる。
【実施例】
【００１７】
以下、本発明の実施例について具体的に説明する。図１は、本発明の実施例に係るスピーカ装置１全体を示す斜視図であり、図２は、スピーカ装置１を示す分解斜視図であり、図３は、スピーカ装置１のスピーカユニット２周辺を示す斜視図であり、図４は、スピーカ装置１の動作機構３の一部を示す斜視図であり、図５は、スピーカ装置１を示す下方視図であり、図６は、動作機構３の要部を示す側面図であり、図７は、動作機構３の動作説明図であり、図８は、スピーカ装置１の動作説明図である。
【００１８】
スピーカ装置１は、図１、２に示すように、スピーカユニット２と、スピーカユニット２の角度及び位置を変更可能な動作機構３と、スピーカユニット２及び動作機構３を収容する筐体４と、を備える。スピーカ装置１は、例えば車両のダッシュボードの上面のうち車両幅方向の略中央部に設置される車両用スピーカ装置である。本実施例における上下方向、車両の幅方向、及び、前後方向は、図１、２に示す通りとする。
【００１９】
スピーカユニット２は、音波を放射可能な図示しないスピーカ本体と、スピーカ本体を収容するとともに音放射側に開口を有するスピーカ収容部２１と、スピーカ収容部２１の開口に取り付けられて上面が音放射面Ｓ１となるメッシュ部材２２と、を有し、音放射面Ｓ１から音波を放射するように構成されている。スピーカ本体は、フレームや振動板、振動板をフレームに支持するエッジ、ボイルコイル、ボイスコイルを振動板に支持するボイスコイル支持部、ボイスコイルをフレームに支持するダンパ、磁気回路等を備える。スピーカユニット２が後述する初期位置に位置づけられる際、音放射面Ｓ１は前後方向及び幅方向に平行に配置される。
【００２０】
スピーカ収容部２１は、例えば樹脂等によって形成されるとともに、図３に示すように、凸状の第１被案内部２１１及び第２被案内部２１２と、後述する接続部材３３が接続される被接続部２１３と、を有して形成されている。第１被案内部２１１及び第２被案内部２１２は、スピーカ収容部２１の幅方向における両側面２１Ａから離れる方向（外側）に向かって突出している。スピーカ収容部２１の前方側の側面には、音放射面Ｓ１から下方側に離れるにしたがって後方側に向かう傾斜を有した傾斜面２１４が形成され、傾斜面２１４は、前方側から見て凹の曲面部２１４Ａと、曲面部２１４Ａの下方側に形成された平面部２１４Ｂと、を有する。
【００２１】
第１被案内部２１１は、側面２１Ａのうち音放射面Ｓ１近傍かつ後方側（搭乗者側）に配置され、第２被案内部２１２は、第１被案内部２１１よりも前方側かつ音放射面Ｓ１から離れた位置に配置されている。また、被接続部２１３は、第１被案内部２１１と一体に形成され、第１被案内部２１１の一部（図示の例では基端部）が被接続部２１３として機能し、接続部材３３に形成された挿通孔３３２に挿通されるようになっている。
【００２２】
動作機構３は、第１被案内部２１１及び第２被案内部２１２を案内可能な部材（図示の例では２つのレール部材）３１と、幅方向に沿った回転軸Ａ１を有する回転部材３２と、一端３３Ａが回転部材３２に接続されるとともに他端３３Ｂがスピーカユニット２の被接続部２１３に接続される接続部材３３と、モータ３４と、モータ３４の動力を回転部材３２に伝達可能な複数の伝達ギア３５と、を備える。レール部材３１と、回転部材３２と、接続部材３３と、は、スピーカユニット２に対して幅方向の両側に設けられ、図５に示すように、幅方向の一方側に設けられたモータ３４の動力がシャフト３６によって他方側に伝達されるようになっている。
【００２３】
レール部材３１は、例えば樹脂によって平板状に形成されるとともに、図４に示すように、第１被案内部２１１を案内可能な溝状の第１案内部３１１と、第２被案内部２１２を案内可能な溝状の第２案内部３１２と、接続部材３３との干渉を防止するための切欠き部３１３と、が形成されている。尚、第１案内部３１１及び第２案内部３１２は、少なくとも凸状の被案内部を案内する側に開口していればよく、その反対側にも開口して貫通孔状に形成されていてもよい。レール部材３１は、筐体４の後述する蓋部４２に固定可能に構成され、幅方向における内側（スピーカユニット２側）に案内部３１１、３１２が形成された側面を向けつつ、２つのレール部材３１がスピーカユニット２を挟むように互いに平行に配置される。また、レール部材３１は、平面Ｓ３１が前後方向及び上下方向に平行になるように配置される。
【００２４】
第１案内部３１１は、第１被案内部２１１が嵌合可能に形成され、第２案内部３１２は、第２被案内部２１２が嵌合可能に形成されている。さらに、第１案内部３１１の経路は、閉回路状に形成されている。即ち、第１案内部３１１は、図６（Ａ）にも示すように、前後方向に延びる第１経路３１１Ａと、第１経路３１１Ａの前方側端部に連続するとともに後方側かつ下方側に延びる第２経路３１１Ｂと、第２経路３１１Ｂの後方側端部と第１経路３１１Ａの後方側端部との間に延びる帰路３１１Ｃと、を有して三角形状に形成されている。ここで、帰路３１１Ｃは、後方側に向かうにしたがって上方側に延びている。
【００２５】
第２案内部３１２の経路は、閉回路状に形成されている。即ち、第２案内部３１２は、図６（Ｂ）にも示すように、前方側かつ上方側に延びる部分と前後方向に延びる部分とを有する折れ線状の第３経路３１２Ａと、第３経路３１２Ａの前方側端部に連続するとともに後方側かつ下方側に延びる第４経路３１２Ｂと、第４経路３１２Ｂの後方側端部と第３経路３１２Ａの後方側端部との間に延びる帰路３１２Ｃと、を有して形成されている。即ち、第１経路３１１Ａと第３経路３１２Ａの一部とが互いに交差する方向に延びている。第４経路３１２Ｂと帰路３１２Ｃとは連続的に形成され、図６（Ｂ）に二点鎖線で示す右上の第２被案内部２１２から中央部の第２被案内部２１２までを第４経路３１２Ｂとし、中央部の第２被案内部２１２から左下の第２被案内部２１２までを帰路３１２Ｃとする。第４経路３１２Ｂは上方に凸の折れ部を有し、折れ部よりも下方の第４経路３１２Ｂと帰路３１２Ｃとが下方に凸に形成されている。
【００２６】
第１案内部３１１には、図６（Ａ）に示すように、２つの規制部材３１４Ａ、３１４Ｂが設けられている。規制部材３１４Ａは、第１経路３１１Ａと第２経路３１１Ｂとの間の角部３１１Ｄの第１経路３１１Ａ側に設けられ、他方の規制部材３１４Ｂは、帰路３１１Ｃと第１経路３１１Ａとの間の角部３１１Ｆの帰路３１１Ｃ側に設けられている。規制部材３１４Ａは、前方側に向かうにしたがって下方側に向かう傾斜部３１５を有するとともに下方側に付勢されており、第１被案内部２１１が第１経路３１１Ａを通過することによって持ち上げられ、第１被案内部２１１が角部３１１Ｄに到達すると元の位置に戻るように構成されている。
【００２７】
同様に、規制部材３１４Ｂは、上下方向に沿って延びることで帰路３１１Ｃに対して傾斜した傾斜部３１６を有するとともに前方側に付勢されており、第１被案内部２１１が帰路３１１Ｃを通過することによって後方側に移動させられ、第１被案内部２１１が角部３１１Ｆに到達すると元の位置に戻るように構成されている。
【００２８】
第２案内部３１２には、図６（Ｂ）に示すように、第３経路３１２Ａと帰路３１２Ｃとの間の角部３１２Ｆの帰路３１２Ｃ側に１つの規制部材３１４Ｃが設けられている。規制部材３１４Ｃは、上下方向に沿って延びることで帰路３１２Ｃに対して傾斜した傾斜部３１７を有するとともに、第３経路３１２Ａに沿った方向に規制部材３１４Ｃを付勢する付勢部材３１８が設けられている。規制部材３１４Ｃは、第２被案内部２１２が帰路３１２Ｃを通過することによって後方側かつ下方側に移動させられ、第２被案内部２１２が角部３１２Ｆに到達すると元の位置に戻るように構成されている。
【００２９】
回転部材３２は、筐体４の側壁部から幅方向における内側に突出した図示しない軸受部によって回転可能に軸支されたギアであって、幅方向における内側には、接続部材３３の一端３３Ａを支持する図示しない支持部が設けられている。回転部材３２の回転軸Ａ１は、後述する初期位置に位置づけられたスピーカユニット２の第２被案内部２１２よりも前方側かつ音放射面Ｓ１から離れた位置に配置されている。
【００３０】
接続部材３３は、例えば樹脂によって全体が棒状に形成され、回転部材３２の支持部に支持される被支持部３３１が一端３３Ａに形成されるとともに、スピーカ収容部２１の被接続部２１３が挿通される挿通孔３３２が他端３３Ｂに形成され、回転部材３２及びスピーカ収容部２１に対して回動可能に接続されている。また、接続部材３３は、一端３３Ａから他端３３Ｂに向かって延びるとともに幅方向内側に折れ曲がった折曲部３３３を有していることで、一端３３Ａがレール部材３１よりも幅方向外側に位置するとともに、中央部が切欠き部３１３を通過し、他端３３Ｂがレール部材３１よりも内側に位置するように設けられる。
【００３１】
モータ３４及び伝達ギア３５は、接続部材３３が動作する際に干渉しない位置に配置されている。伝達ギア３５の個数やギア比は適宜に設定されていればよく、伝達ギア３５が省略されるとともにモータ３４の先端に取り付けられたギアから回転部材３２に動力が直接伝達される構成であってもよい。
【００３２】
筐体４は、上方が開口した箱状部４１と、箱状部４１の開口に設けられて筐体４の一面を形成する蓋部４２と、を備える。箱状部４１には、ダッシュボードに取り付けるための取付部４１１が設けられている。蓋部４２は、その上面がダッシュボード上面に沿うとともに略同様の外観となるように形成され、その中央部には開口部Ｏ１が形成されている。筐体４がスピーカユニット２を収容することで、開口部Ｏ１が音放射面Ｓ１によって覆われるようになっている。
【００３３】
以下、スピーカユニット２及び動作機構３の動作の一例について、図７、８に基づいて説明する。
【００３４】
まず、スピーカユニット２は、車両のエンジンが動作していない状態において、図８（Ａ）に示すような初期位置に位置づけられる。即ち、スピーカユニット２は、音放射面Ｓ１が蓋部４２の上面（ダッシュボードの上面）に沿うように収容されている。このとき、図７（Ａ）に示すように、第１被案内部２１１が第１案内部３１１の角部３１１Ｆに位置し、第２被案内部２１２が角部３１２Ｆに位置している。
【００３５】
次に、車両のイグニッションがオンになった際、車両に設けられた制御手段がモータ３４を回転させ、回転部材３２を、図７（Ｂ）に示す位置を経由させて図７（Ｃ）に示す位置にまで時計回りに回転させる。図７（Ａ）に示す状態から図７（Ｂ）に示す状態にかけて、第１被案内部２１１が第１経路３１１Ａを前方側に移動していき、第２被案内部２１２が第３経路３１２Ａを前方側かつ上方側に移動していく。従って、スピーカユニット２は、全体が前方側に移動していくとともに、前方側端部が蓋部４２から起き上がっていき、音放射面Ｓ１とダッシュボード上面との間の角度θが大きくなるように反時計回りに回動していく。このとき、スピーカユニット２の傾斜面２１４の曲面部２１４Ａ及び平面部２１４Ｂが蓋部４２の後方側端部に沿うように移動する。
【００３６】
図７（Ｂ）に示す状態において、第１被案内部２１１が角部３１１Ｄに位置し、第２被案内部２１２が第３経路３１２Ａと第４経路３１２Ｂとの間の角部３１２Ｄに位置している。このとき、スピーカユニット２は、中間位置として図８（Ｂ）に示すような経由位置に位置づけられる。この状態から図７（Ｃ）に示す状態にかけて、第１被案内部２１１が第２経路３１１Ｂを後方側かつ下方側に移動していき、第２被案内部２１２が第４経路３１２Ｂを後方側かつ下方側に移動していく。従って、スピーカユニット２は、音放射面Ｓ１を蓋部４２に近づけていくとともに全体が後方側に移動し、さらに角度θが小さくなるように時計回りに回動していく。このとき、スピーカユニット２の傾斜面２１４の平面部２１４Ｂが蓋部４２の後方側端部に沿うように移動する。
【００３７】
図７（Ｃ）に示す状態において、第１被案内部２１１が角部３１１Ｅに位置し、第２被案内部２１２が第４経路３１２Ｂと帰路３１２Ｃとの間の境界部３１２Ｅに位置している。このとき、スピーカユニット２は、中間位置として図８（Ｃ）に示すような音放射位置に位置づけられ、音波を放射可能な状態となる。音放射位置に位置づけられたスピーカユニット２は、初期位置と比較して、全体が前方側に位置し、音放射面Ｓ１を後方側に向けて傾斜した状態となる。
【００３８】
次に、車両のイグニッションがオフになった際、制御手段がモータ３４を回転させ、回転部材３２を図７（Ｄ）に示す位置にまで回転させる。図７（Ｃ）に示す状態から図７（Ｄ）に示す状態にかけて、第１被案内部２１１が帰路３１１Ｃを後方側かつ上方側に移動していき、第２被案内部２１２が帰路３１２Ｃを後方側かつ下方側に移動していき、スピーカユニット２は、図８（Ｄ）に示すように終期位置（本実施例では初期位置と同じ位置）に戻る。このとき、スピーカユニット２の傾斜面２１４の曲面部２１４Ａが蓋部４２の後方側端部に沿うように移動する。
【００３９】
以上のように、スピーカユニット２は動作機構３によって、後方側に向けて音放射面Ｓ１を傾斜させるように回動させられるとともに、前後方向及び上下方向に平行移動させられる。
【００４０】
上記の構成により、第１経路３１１Ａおよび第３経路３１２Ａによって、音放射面Ｓ１の前方側端部が蓋部４２から起き上がるようにスピーカユニット２を反時計回りに回動させる際に、スピーカユニット２全体を前方側に平行移動させることで、スピーカユニット２と蓋部４２との間に隙間を生じにくくして音放射面Ｓ１を傾斜させることができる。また、第２経路３１１Ｂおよび第４経路３１２Ｂによって、スピーカユニット２を時計回りに回動させる際に、スピーカユニット２全体を後方側に平行移動させることで、スピーカユニット２の前方側端部と蓋部４２との干渉を抑制しつつ隙間を生じにくくすることができる。このようにスピーカユニット２を二段階で移動および回動させることによって、スピーカユニット２の動作を使用者に視認させやすくすることができ、演出性を向上させることができる。
【００４１】
また、第１経路３１１Ａが前後方向に延び、第３経路３１２Ａが前方側に向かうにしたがって上方側に向かうように延びていることで、第１被案内部２１１が第１経路３１１Ａに案内されて第２被案内部２１２が第３経路３１２Ａに案内される際に、音放射面Ｓ１の後方側の端部が筐体４内に沈み込んでしまうことを抑制し、前方側の端部が蓋部４２から大きく起き上がるようにすることができ、この動作を使用者に視認させやすくすることができる。
【００４２】
また、第１被案内部２１１及び第２被案内部２１２が幅方向の外側、即ち、回転部材３２の軸Ａ１が延びる方向に突出し、第１案内部３１１及び第２案内部３１２がスピーカユニット２に対して幅方向に並べて配置され、接続部材３３がスピーカユニット２に対して幅方向に並べて配置されていることで、簡単な構成でスピーカユニット２を回動及び移動させることができる。さらに、第１被案内部２１１及び第２被案内部２１２が幅方向の両側から突出するとともに、第１案内部３１１、第２案内部３１２及び接続部材３３が幅方向の両側からスピーカユニット２を挟むように設けられていることで、スピーカユニット２をより安定した状態で回動及び移動させることができる。
【００４３】
また、接続部材３３の他端３３Ｂが接続される被接続部２１３が第１被案内部２１１と一体に形成されていることで、接続部材３３によってスピーカユニット２に伝達される力の方向に第１被案内部２１１を移動させやすくことができ、この方向に応じて第１案内部３１１の経路を容易に設定することができる。
【００４４】
また、接続部材３３の他端３３Ｂがスピーカユニット２における音放射面Ｓ１近傍且つ後方側の被接続部２１３に接続され、回転部材３２が第１被案内部２１１よりも前方側かつ音放射面Ｓ１よりも下方側に設けられていることで、スピーカ装置１の大型化を抑制しつつ接続部材３３を長くすることができる。従って、回転部材３２からスピーカユニット２に伝達される力の方向が、前方側かつ下方側に向かう方向となるとともに、回転部材３２が回転してもこの力の方向を変化しにくくし、第１案内部３１１の経路を容易に設定することができる。
【００４５】
また、スピーカユニット２における前方側の側面に傾斜面２１４が形成され、スピーカユニット２の回動及び移動時に傾斜面２１４が蓋部４２の後方側端部に沿うように移動することで、スピーカユニット２の前方側と蓋部４２とが干渉したりこれらの間に隙間が生じたりすることを抑制することができる。
【００４６】
また、第１案内部３１１及び第２案内部３１２の経路が閉回路状に形成されていることで、回転部材３２を一方向に回転させることによりスピーカユニット２を初期位置に戻すことができ、回転方向を変える必要がなくモータ３４の制御を簡単化することができる。また、スピーカユニット２を音放射位置から初期位置に戻す際に、第１被案内部２１１が帰路３１１Ｃを移動するとともに第２被案内部２１２が帰路３１２Ｃを移動するようにすることで、スピーカユニット２が移動してきた方向とは逆方向に被案内部２１１、２１２を移動させる構成と比較して、移動に必要な時間を短縮することができる。従って、車両のイグニッションをオフにしてからスピーカ装置１全体を停止させるまでの時間を短縮し、省エネルギー化することができる。
【００４７】
また、規制部材３１４Ａが角部３１１Ｄの第１経路３１１Ａ側に設けられていることで、角部３１１Ｄに到達した第１被案内部２１１が第１経路３１１Ａ側に移動することを規制することができる。同様に、規制部材３１４Ｂが角部３１１Ｆの帰路３１１Ｃ側に設けられていることで、角部３１１Ｆに到達した第１被案内部２１１が帰路３１１Ｃ側に移動することを規制することができる。従って、第１被案内部２１１の周回方向が反時計回りに逆転してしまうことを抑制することができる。同様に、規制部材３１４Ｃが角部３１２Ｆの帰路３１２Ｃ側に設けられていることで、角部３１２Ｆに到達した第２被案内部２１２が帰路３１２Ｃ側に移動することを規制することができる。従って、第２被案内部２１２の周回方向が反時計回りに逆転してしまうことを抑制することができる。
【００４８】
なお、本発明は、前記実施例に限定されるものではなく、本発明の目的が達成できる他の構成等を含み、以下に示すような変形等も本発明に含まれる。
【００４９】
例えば、前記実施例では、第１経路３１１Ａが前後方向に延びるものとしたが、第１経路３１１Ａは、前方側に向かうにしたがって下方側に向かって延びていてもよいし、第３経路３１２Ａよりも前後方向に対する傾斜が小さければ、前方側に向かうにしたがって上方側に向かって延びていてもよい。
【００５０】
また、前記実施例では、動作機構３がスピーカユニット２を幅方向の両側から挟み込むように設けられるものとしたが、動作機構３は、スピーカユニット２に対して幅方向の片側に設けられてもよいし、例えばスピーカユニット２に対して前後方向や下方側に並べて配置されるとともに、前後方向や上下方向に押圧する力を加えるように構成されていてもよい。
【００５１】
また、前記実施例では、接続部材３３の他端３３Ｂが接続される被接続部２１３が第１被案内部２１１と一体に形成されるものとしたが、接続部材３３の他端３３Ｂがスピーカユニット２に接続される位置は、適宜に設定されていればよい。
【００５２】
また、前記実施例では、回転部材３２が第１被案内部２１１よりも前方側かつ下方側に設けられるものとしたが、回転部材３２は、その回転方向や案内部の形状に応じた適宜な位置に配置されていればよい。
【００５３】
また、前記実施例では、スピーカユニット２における前方側に傾斜面２１４が形成されるものとしたが、スピーカユニット２の前方側端面は、蓋部４２とが干渉したりこれらの間に隙間が生じたりすることを抑制するような適宜な形状を有していればよい。また、スピーカユニット２の前方側に弾性部材が設けられて蓋部４２との隙間を塞いでもよい。
【００５４】
また、前記実施例では、第１案内部３１１及び第２案内部３１２の経路が閉回路状に形成されるものとしたが、第１案内部が少なくとも１つの経路を有し、第２案内部がこの第１経路に交差する方向に延びる経路を有していればよく、非閉回路状に形成されていてもよい。
【００５５】
また、前記実施例では、第１案内部３１１の角部３１１Ｄ、３１１Ｆに規制部材３１４Ａ、３１４Ｂが設けられ、第２案内部３１２の角部３１２Ｆに規制部材３１４Ｃが設けられるものとしたが、その他の角部３１１や各径路の途中にさらに規制部材が設けられてもよい。また、第１被案内部２１１や第２被案内部が逆方向に周回しにくい場合や、第１案内部や第２案内部が非閉回路状に形成されている場合には、それぞれの案内部において規制部材は省略されてもよい。
【００５６】
また、前記実施例では、第１案内部３１１及び第２案内部３１２が溝状に形成され、第１被案内部２１１及び第２被案内部２１２が凸状に形成されるものとしたが、案内部が凸状に形成されるとともに被案内部が溝状に形成されていてもよく、案内部が被案内部を案内するための形状は任意である。
【００５７】
また、前記実施例では、スピーカ装置１が車両のダッシュボードの上面に設けられるものとしたが、スピーカ装置１は、車両のダッシュボードの搭乗者側の側面や扉体等の任意の位置に設けられてもよく、このとき、設置位置に応じて音放射面Ｓ１の角度及び位置が変更可能に形成されていればよい。また、スピーカ装置１は、単体で使用されるスピーカ装置であってもよい。
【００５８】
その他、本発明を実施するための最良の構成、方法などは、以上の記載で開示されているが、本発明は、これに限定されるものではない。すなわち、本発明は、主に特定の実施例に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５９】
１          スピーカ装置
２          スピーカユニット
３          動作機構
４          筐体
２１１      第１被案内部
２１２      第２被案内部
２１４      傾斜面
３１１      第１案内部
３１２      第２案内部
３２        回転部材
３３        接続部材
Ｓ１        音放射面
【図１】
2016158030.tif 000003
【図２】
2016158030.tif 000004
【図３】
2016158030.tif 000005
【図４】
2016158030.tif 000006
【図５】
2016158030.tif 000007
【図６】
2016158030.tif 000008
【図７】
2016158030.tif 000009
【図８】
2016158030.tif 000010